(57)【要約】　【課題】ＣＤ−ＲＯＭ装置を、パーソナルコンピュータの外部記憶装置として組み込む場合の簡易化を図る。　【解決手段】ＣＤ−ＲＯＭ装置１５にＩＤＥ−ＢＵＳ　Ｉ／Ｆ１５ａを内蔵する。而して、パーソナルコンピュータ１のＩＤＥ−ＢＵＳ　Ｉ／Ｆ７のマスターにハードディスク装置８を、スレーブに前記ＣＤ−ＲＯＭ装置１５を夫々接続する。【選択図】図１
2004014107.tif 000002
【特許請求の範囲】
【請求項１】
　パーソナルコンピュータと共に使用するための外部記憶装置であって、該外部記憶装置は、
　外部記憶装置内に形成されたＩＤＥ−ＢＵＳインターフェースと、　　　　　　　　　　外部記憶装置内に形成された第二のインターフェースと、
　前記ＩＤＥ−ＢＵＳインターフェース及び第二のインターフェースに連結したスイッチング回路とを有し、前記ＩＤＥ−ＢＵＳインターフェース及び前記第二のインターフェースは、前記スイッチング回路をスイッチングすることによって選択的に使用されるように構成されたことを特徴とするＣＤ−ＲＯＭ装置。
【請求項２】
　外部記憶装置がＣＤ−ＲＯＭ装置を再生する機能を包含する、請求項１記載のパーソナルコンピュータと共に使用するための外部記憶装置。
【請求項３】
　外部記憶装置がＣＤ−ＲＯＭ装置を包含している、請求項１又は２記載のパーソナルコンピュータと共に使用するための外部記憶装置。
【請求項４】
　第二のインターフェースが、ＩＳＡ−ＢＵＳインターフェースを包含する、請求項１、２又は３記載のパーソナルコンピュータと共に使用するための外部記憶装置。
【請求項５】
　パーソナルコンピュータシステムであって、該パーソナルコンピュータシステムは、
　第一と第二のコンピュータＢＵＳインターフェースを有するパーソナルコンピュータと、
　前記パーソナルコンピュータに連結した外部記憶装置と、
　前記外部記憶装置内に形成された第一の外部記憶装置ＢＵＳインターフェースと、
　前記外部記憶装置内に形成された第二の外部記憶装置ＢＵＳインターフェースと、
　前記外部記憶装置内に形成され、前記第一と第二の外部記憶装置ＢＵＳインターフェースに連結したスイッチング回路とを有し、前記第一と第二の外部記憶装置ＢＵＳインターフェースのどちらも前記スイッチング回路をスイッチングすることによって選択的に使用されるように構成されたことを特徴とするＣＤ−ＲＯＭ装置。
【請求項６】
　前記外部記憶装置が、ＣＤ−ＲＯＭ装置を包含している、請求項５記載のパーソナルコンピュータシステム。
【請求項７】
　前記第一の外部記憶装置ＢＵＳインターフェースが、ＩＤＥ−ＢＵＳインターフェースを包含し、
　前記第二の外部記憶装置ＢＵＳインターフェースが、ＩＳＡ−ＢＵＳインターフェースを包含している、請求項５又は６記載のパーソナルコンピュータシステム。
【請求項８】
　パーソナルコンピュータと共に使用するための外部記憶装置であって、該外部記憶装置は、
　外部記憶装置内に形成された第一のインターフェースと、
　外部記憶装置内に形成された第二のインターフェースとを有し、　　　　　　　　　　　前記第一のインターフェース及び前記第二のインターフェースの内、どちらか一方のインターフェースが前記パーソナルコンピュータに接続されるように構成されたことを特徴とするＣＤ−ＲＯＭ装置。
【請求項９】
　前記外部記憶装置がＣＤ−ＲＯＭ装置を再生する機能を包含する、請求項８記載のパーソナルコンピュータと共に使用するための外部記憶装置。
【請求項１０】
　前記外部記憶装置がＣＤ−ＲＯＭ装置を包含する、請求項８又は９記載のパーソナルコンピュータと共に使用するための外部記憶装置。
【請求項１１】
　前記第一のインターフェースがＩＤＥ−ＢＵＳインターフェースを包含する、請求項８、９又は１０記載のパーソナルコンピュータと共に使用するための外部記憶装置。
【請求項１２】
　前記第二のインターフェースがＩＳＡ−ＢＵＳインターフェースを包含する、請求項８、９、１０又は１１記載のパーソナルコンピュータと共に使用するための外部記憶装置。
【請求項１３】
　パーソナルコンピュータシステムであって、該パーソナルコンピュータシステムは、
　第一と第二のコンピュータＢＵＳインターフェースを有するパーソナルコンピュータと、
　前記パーソナルコンピュータに連結された外部記憶装置と、
　前記外部記憶装置内に形成された第一の外部記憶装置ＢＵＳインターフェースと、
　前記外部記憶装置内に形成された第二の外部記憶装置ＢＵＳインターフェースと有し、前記第一のインターフェース及び前記第二のインターフェースの内、どちらか一方のインターフェースが前記パーソナルコンピュータに接続されるように構成されたことを特徴とするパーソナルコンピュータシステム。
【請求項１４】
　前記外部記憶装置がＣＤ−ＲＯＭ装置を再生する機能を包含する、請求項１３記載のパーソナルコンピュータシステム。
【請求項１５】
　前記外部記憶装置がＣＤ−ＲＯＭ装置を包含する、請求項１３又は１４記載のパーソナルコンピュータシステム。
【請求項１６】
　前記第一のインターフェースがＩＤＥ−ＢＵＳインターフェースを包含する、請求項１３、１４又は１５記載のパーソナルコンピュータシステム。
【請求項１７】
　前記第二のインターフェースがＩＳＡ−ＢＵＳインターフェースを包含する、請求項１３、１４、１５又は１６記載のパーソナルコンピュータシステム。
【発明の詳細な説明】
【技術分野】
【０００１】
　本発明はＣＤ−ＲＯＭ装置に関するものであり、特に、パーソナルコンピュータの外部記憶装置として使用する場合のＣＤ−ＲＯＭ装置に関するものである。
【背景技術】
【０００２】
従来の此種パーソナルコンピュータにおけるＣＤ−ＲＯＭ装置の一般的な接続例を、図２に従って説明する。１はパーソナルコンピュータの本体であり、２はＣＰＵである。該ＣＰＵ２には内部記憶装置のＲＯＭ３とＲＡＭ４とが接続されている。又、該ＣＰＵ２はＢＵＳコントローラ５を介してＡＴ−ＢＵＳ６に接続され、更に、該ＡＴ−ＢＵＳ６を経由して各デバイスに接続されている。
【０００３】
　一方、外部記憶装置については、ＡＴ−ＢＵＳ６にＩＤＥ−ＢＵＳ　Ｉ／Ｆ７が接続され、該ＩＤＥ−ＢＵＳ　Ｉ／Ｆ７ にハードディスク装置８の専用バスであるＩＤＥ−ＢＵＳ９を経由してハードディスク装置８が接続される。その場合、前記ＩＤＥ−ＢＵＳ Ｉ／Ｆ７には、ＩＤＥ規格により２台までのハードディスク装置８の接続が可能となっている。次に、前記ＡＴ−ＢＵＳ６を経由してＩＳＡ−ＢＵＳ　Ｉ／Ｆ１０が設けられている。そして、該ＩＳＡ−ＢＵＳ　Ｉ／Ｆ１０からＩＳＡ−ＢＵＳ１１を経由してＩ／Ｆ ＣＡＲＤ１２を接続し、更に、該Ｉ／Ｆ　ＣＡＲＤ１２にＩＳＡ−ＢＵＳ対応Ｉ／Ｆ１３ａを内蔵したＣＤ−ＲＯＭ装置１３がＩ／Ｆ　ＣＡＢＬＥ１４を介して接続される。
【発明の開示】
【発明が解決しようとする課題】
【０００４】
　従来のパーソナルコンピュータシステムにおけるＣＤ−ＲＯＭ装置は、上述する如く、該ＣＤ−ＲＯＭ装置専用の　Ｉ／Ｆ　ＣＡＲＤを介してＩＳＡ−ＢＵＳ　Ｉ／Ｆに接続される。即ち、前記ＣＤ−ＲＯＭ装置を外部記憶装置として使用するときは、該ＣＤ−ＲＯＭ装置に加えて、前述のＩ／Ｆ ＣＡＲＤ及びＩ／Ｆ ＣＡＢＬＥが必要となる。又、ユーザが使用中のパーソナルコンピュータに、該ＣＤ−ＲＯＭ装置を接続する場合は、前記Ｉ／Ｆ　ＣＡＲＤについて、該コンピュータ内への組み込み及び設定などの作業を行う必要がある。
【０００５】
　そこで、Ｉ／Ｆ　ＣＡＲＤ及びＩ／Ｆ　ＣＡＢＬＥを必要とせず、且つ、簡易に前記ＣＤ−ＲＯＭ装置をコンピュータに接続できるようにすることにより、パーソナルコンピュータシステム構築上の経費並びに人件費の低減を図るために解決せらるべき技術的課題が生じてくるのであり、本発明は該課題を解決することを目的とする。
【課題を解決するための手段】
【０００６】
　本発明は上記目的を達成するために提案されたものであり、パーソナルコンピュータと共に使用するための外部記憶装置であって、該外部記憶装置は、外部記憶装置内に形成されたＩＤＥ−ＢＵＳインターフェースと、外部記憶装置内に形成された第二のインターフェースと、前記ＩＤＥ−ＢＵＳインターフェース及び第二のインターフェースに連結したスイッチング回路とを有し、前記ＩＤＥ−ＢＵＳインターフェース及び前記第二のインターフェースは、前記スイッチング回路をスイッチングすることによって選択的に使用されるように構成されたＣＤ−ＲＯＭ装置、及び、外部記憶装置がＣＤ−ＲＯＭ装置を再生する機能を包含する請求項１記載のパーソナルコンピュータと共に使用するための外部記憶装置、及び外部記憶装置がＣＤ−ＲＯＭ装置を包含している、請求項１又は２記載のパーソナルコンピュータと共に使用するための外部記憶装置、並びに、第二のインターフェースが、ＩＳＡ−ＢＵＳインターフェースを包含する、請求項１、２又は３記載のパーソナルコンピュータと共に使用するための外部記憶装置、及びパーソナルコンピュータシステムであって、該パーソナルコンピュータシステムは、第一と第二のコンピュータＢＵＳインターフェースを有するパーソナルコンピュータと、前記パーソナルコンピュータに連結した外部記憶装置と、前記外部記憶装置内に形成された第一の外部記憶装置ＢＵＳインターフェースと、前記外部記憶装置内に形成された第二の外部記憶装置ＢＵＳインターフェースと、前記外部記憶装置内に形成され、前記第一と第二の外部記憶装置ＢＵＳインターフェースに連結したスイッチング回路とを有し、前記第一と第二の外部記憶装置ＢＵＳインターフェースのどちらも前記スイッチング回路をスイッチングすることによって選択的に使用されるように構成されたことを特徴とするＣＤ−ＲＯＭ装置、及び、前記外部記憶装置が、ＣＤ−ＲＯＭ装置を包含している、請求項５記載のパーソナルコンピュータシステム、及び前記第一の外部記憶装置ＢＵＳインターフェースがＩＤＥ−ＢＵＳインターフェースを包含し、前記第二の外部記憶装置ＢＵＳインターフェースが、ＩＳＡ−ＢＵＳインターフェースを包含している、請求項５又は６記載のパーソナルコンピュータシステム、並びにパーソナルコンピュータと共に使用するための外部記憶装置であって、該外部記憶装置は、外部記憶装置内に形成された第一のインターフェースと、外部記憶装置内に形成された第二のインターフェースとを有し、前記第一のインターフェース及び前記第二のインターフェースの内、どちらか一方のインターフェースが前記パーソナルコンピュータに接続されるように構成されたことを特徴とするＣＤ−ＲＯＭ装置、及び、前記外部記憶装置がＣＤ−ＲＯＭ装置を再生する機能を包含する、請求項８記載のパーソナルコンピュータと共に使用するための外部記憶装置、及び前記外部記憶装置がＣＤ−ＲＯＭ装置を包含する、請求項８又は９記載のパーソナルコンピュータと共に使用するための外部記憶装置、及び前記第一のインターフェースがＩＤＥ−ＢＵＳインターフェースを包含する、請求項８、９又は１０記載のパーソナルコンピュータと共に使用するための外部記憶装置、並びに前記第二のインターフェースがＩＳＡ−ＢＵＳインターフェースを包含する、請求項８、９、１０又は１１記載のパーソナルコンピュータと共に使用するための外部記憶装置、及びパーソナルコンピュータシステムであって、該パーソナルコンピュータシステムは、第一と第二のコンピュータＢＵＳインターフェースを有するパーソナルコンピュータと、前記パーソナルコンピュータに連結された外部記憶装置と、前記外部記憶装置内に形成された第一の外部記憶装置ＢＵＳインターフェースと、前記外部記憶装置内に形成された第二の外部記憶装置ＢＵＳインターフェースとを有し、前記第一のインターフェース及び前記第二のインターフェースの内、どちらか一方のインターフェースが前記パーソナルコンピュータに接続されるように構成されたことを特徴とするパーソナルコンピュータシステム、及び前記外部記憶装置がＣＤ−ＲＯＭ装置を再生する機能を包含する、請求項１３記載のパーソナルコンピュータシステム、及び前記外部記憶装置がＣＤ−ＲＯＭ装置を包含する、請求項１３又は１４記載のパーソナルコンピュータシステム、並びに前記第一のインターフェースがＩＤＥ−ＢＵＳインターフェースを包含する、請求項１３,１４又は１５記載のパーソナルコンピュータシステム、及び前記第二のインターフェースがＩＳＡ−ＢＵＳインターフェースを包含する、請求項１３、１４、１５又は１６記載のパーソナルコンピュータシステムを提供するものである。
【発明の効果】
【０００７】
　パーソナルコンピュータのＩＤＥ　Ｉ／Ｆは、マスターとスレーブとに区分されており、通常、前記マスターにはハードディスク装置を接続する。更に、本発明のＩＤＥ　Ｉ／Ｆを内蔵したＣＤ−ＲＯＭ装置を、前記パーソナルコンピュータのＩＤＥ　Ｉ／Ｆのスレーブに接続することにより、該ＣＤ−ＲＯＭ装置はハードディスク装置にカスケード接続されるのであるが、ＣＤ−ＲＯＭ装置にＩＤＥ−ＢＵＳ　Ｉ／Ｆを内蔵させ、該ＣＤ−ＲＯＭ装置をパーソナルコンピュータのＩＤＥ−ＢＵＳ　Ｉ／Ｆに接続できるようにした。依って、従来、前記ＣＤ−ＲＯＭ装置をパーソナルコンピュータのＩＳＡ−ＢＵＳ Ｉ／Ｆに接続する上で必要であったＩ／Ｆ　ＣＡＲＤ及びＩ／Ｆ　ＣＡＢＬＥは不要となる。
【０００８】
　斯くして、前記I/F ＣＡＲＤ及びＩ／Ｆ　ＣＡＢＬＥに要する費用が削減されるとともに、該Ｉ／Ｆ　ＣＡＲＤをコンピュータへ組み込む手間も不要となり、低コストでＣＤ−ＲＯＭ装置を有するパーソナルコンピュータシステムの構築ができる等、正に諸種の効果を奏する発明である。
【発明を実施するための最良の形態】
【０００９】
　以下、本発明の一実施を図１に従って詳述する。尚、図２の従来例で使用した符号と同一構成部分については、同一符号を付して説明は省略する。図において１５はＣＤ−ＲＯＭ装置であり、該ＣＤ−ＲＯＭ装置１５内にＩＤＥ−ＢＵＳ　Ｉ／Ｆ１５ａを付加する。而して、パーソナルコンピュータ１のＩＤＥ−ＢＵＳ　Ｉ／Ｆ７のマスターにハードディスク装置８を接続し、スレーブに前記ＣＤ−ＲＯＭ装置１５を接続する。ここで、前記ＩＤＥ−ＢＵＳ　Ｉ／Ｆ７には１ビットのドライブ選択ビットを有しており、ＣＤ−ＲＯＭドライバーによるドライブ選択ビットの切替えによって、前記マスター又はスレーブのいずれかのデバイスが選択される。
【００１０】
　斯くして、本発明の構成により、図２の従来例で説明したＩ／Ｆ　ＣＡＲＤ１２とＩ／Ｆ　ＣＡＢＬＥ１４が不要となり、部品点数の削減によるコストダウンが図られると同時に、前記Ｉ／Ｆ　ＣＡＲＤ１２をパーソナルコンピュータ１内に組み込むための作業が不要となる。
【００１１】
　又、ソフトウエア上では、前記ＣＤ−ＲＯＭドライバーは、システムプログラムのＢＩＯＳと関係なく独立に動くので、該ＢＩＯＳ並びにその他の基本プログラムの変更の必要がない。
【００１２】
　次に、コンピュータ処理の内容により、パーソナルコンピュータ１の前記ＩＤＥ−ＢＵＳ　Ｉ／Ｆ７のマスターに前記ＣＤ−ＲＯＭ装置１５を、スレーブに前記ハードディスク装置８を夫々接続して動作させることもできる。
【００１３】
　又、該ＣＤ−ＲＯＭ装置１５内にＩＤＥ−ＢＵＳ　Ｉ／Ｆ１５ａとＩＳＡ−ＢＵＳ　Ｉ／Ｆ（図示せず）とを設け、更に、双方の切替回路を付加することにより、パーソナルコンピュータシステムの構成が異なっても、前記切替回路を切替えて前記双方のいずれでも使用可能とすることができる。
【００１４】
　尚、本発明は、本発明の精神を逸脱しない限り種々の改変を為すことができ、そして、本発明が該改変されたものに及ぶことは当然である。
【図面の簡単な説明】
【００１５】
【図１】本発明の一実施を示す要部の構成図
【図２】従来例を示す要部の構成図
【符号の説明】
【００１６】
　　１　　　　パーソナルコンピュータ
　　７　　　　ＩＤＥ−ＢＵＳ　Ｉ／Ｆ
　　８　　　　ハードディスク装置
　１５　　　　ＣＤ−ＲＯＭ装置
　１５ａ　　　ＣＤ−ＲＯＭ装置内のＩＤＥ−ＢＵＳ　Ｉ／Ｆ
【図１】
2004014107.tif 000003
【図２】
2004014107.tif 000004